【手続補正書】
【提出日】平成20年9月22日(2008.9.22)
【手続補正１】
【補正対象書類名】特許請求の範囲
【補正対象項目名】全文
【補正方法】変更
【補正の内容】
【特許請求の範囲】
【請求項１】
入力信号によって規定される格子点に対応させて印刷装置で用いる色材の色材信号値を保持した色分解テーブルの作成方法であって、
入力信号によって規定される立体における所定の格子点を結ぶラインを規定する工程と、
前記立体を分割して得られる四面体であって前記ラインを辺とする四面体を規定する工程と、
前記四面体の辺の上の所定の格子点を結んで得られる三角形平面を規定する工程と、
前記三角形平面における二辺であって、該二辺それぞれの上の格子点に対応する色材信号値が単調増加または単調減少する部分を含む二辺を規定する工程と、
前記規定した二辺上の格子点を結んで得られるラインを規定し、該ライン上の格子点の色材信号値を前記二辺の格子点の色材信号値を用いた補間によって求める補間工程と、
を有したことを特徴とする色分解テーブルの作成方法。
【請求項２】
前記二辺を規定する工程は、少なくとも一方の辺の信号値が単調増加した後単調減少する二辺を規定し、前記少なくとも一方の辺の信号値が前記単調増加および単調減少する範囲にわたって単調増加または単調減少する仮想的な信号値が分布する第１の辺を規定し、および前記少なくとも一方の辺の信号値が前記単調減少する範囲にわたって単調増加または単調減少する仮想的な信号値が分布する第２の辺を規定し、前記補間工程は、前記第１の辺を含む二辺を用いて求めた前記ライン上の格子点の色材信号値から、前記第２の辺を含む二辺を用いて求めた前記ライン上の格子点の色材信号値を差し引き、該差し引いて求めた信号値を前記ライン上の格子点の色材信号値とすることを特徴とする請求項１に記載の色分解テーブルの作成方法。
【請求項３】
前記三角形平面を規定する工程は、前記四面体において色材信号値の変化がより少ない格子点の辺の格子点と、当該四面体において前記色材信号値の変化がより少ない辺と交わらない辺の両端の格子点とを結んで得られる三角形平面を規定することを特徴とする請求項１または２に記載の色分解テーブルの作成方法。
【請求項４】
入力信号によって規定される格子点に対応させて印刷装置で用いる色材の色材信号値を保持した色分解テーブルを作成する処理を行う色処理装置であって、
前記作成する処理は、
入力信号によって規定される立体における所定の格子点を結ぶラインを規定する工程と、
前記立体を分割して得られる四面体であって前記ラインを辺とする四面体を規定する工程と、
前記四面体の辺の上の所定の格子点を結んで得られる三角形平面を規定する工程と、
前記三角形平面における二辺であって、該二辺それぞれの上の格子点に対応する色材信号値が単調増加または単調減少する部分を含む二辺を規定する工程と、
前記規定した二辺上の格子点を結んで得られるラインを規定し、該ライン上の格子点の色材信号値を前記二辺の格子点の色材信号値を用いた補間によって求める補間工程と、
を有したことを特徴とする色処理装置。
【請求項５】
前記二辺を規定する工程は、少なくとも一方の辺の信号値が単調増加した後単調減少する二辺を規定し、前記少なくとも一方の辺の信号値が前記単調増加および単調減少する範囲にわたって単調増加または単調減少する仮想的な信号値が分布する第１の辺を規定し、および前記少なくとも一方の辺の信号値が前記単調減少する範囲にわたって単調増加または単調減少する仮想的な信号値が分布する第２の辺を規定し、前記補間工程は、前記第１の辺を含む二辺を用いて求めた前記ライン上の格子点の色材信号値から、前記第２の辺を含む二辺を用いて求めた前記ライン上の格子点の色材信号値を差し引き、該差し引いて求めた信号値を前記ライン上の格子点の色材信号値とすることを特徴とする請求項４に記載の色処理装置。
【請求項６】
前記三角形平面を規定する工程は、前記四面体において色材信号値の変化がより少ない格子点の辺の格子点と、当該四面体において前記色材信号値の変化がより少ない辺と交わらない辺の両端の格子点とを結んで得られる三角形平面を規定することを特徴とする請求項４または５に記載の色処理装置。
【請求項７】
コンピュータに、入力信号によって規定される格子点に対応させて印刷装置で用いる色材の色材信号値を保持した色分解テーブルを作成する処理を実行させるプログラムであって、
前記作成する処理は、
入力信号によって規定される立体における所定の格子点を結ぶラインを規定する工程と、
前記立体を分割して得られる四面体であって前記ラインを辺とする四面体を規定する工程と、
前記四面体の辺の上の所定の格子点を結んで得られる三角形平面を規定する工程と、
前記三角形平面における二辺であって、該二辺それぞれの上の格子点に対応する色材信号値が単調増加または単調減少する部分を含む二辺を規定する工程と、
前記規定した二辺上の格子点を結んで得られるラインを規定し、該ライン上の格子点の色材信号値を前記二辺の格子点の色材信号値を用いた補間によって求める補間工程と、
を有したことを特徴とするプログラム。
【手続補正２】
【補正対象書類名】明細書
【補正対象項目名】発明の名称
【補正方法】変更
【補正の内容】
【発明の名称】色分解テーブル作成方法および色処理装置
【手続補正３】
【補正対象書類名】明細書
【補正対象項目名】０００１
【補正方法】変更
【補正の内容】
【０００１】
本発明は、色分解テーブル作成方法および色処理装置に関し、詳しくは、プリンタ等の印刷装置で用いる色材の信号を生成する際に参照する色分解テーブルの作成方法および該テーブルを用いて色材信号の生成処理を行う色処理装置に関するものである。
【手続補正４】
【補正対象書類名】明細書
【補正対象項目名】００１３
【補正方法】変更
【補正の内容】
【００１３】
本発明は、上述した問題を解消するためになされたものであり、その目的とするところは、疑似輪郭などの印刷品位の低下のない画像を出力することを可能とする色分解テーブルの作成方法および色処理装置を提供することにある。
【手続補正５】
【補正対象書類名】明細書
【補正対象項目名】００１４
【補正方法】変更
【補正の内容】
【００１４】
そのために本発明では、入力信号によって規定される格子点に対応させて印刷装置で用いる色材の色材信号値を保持した色分解テーブルの作成方法であって、入力信号によって規定される立体における所定の格子点を結ぶラインを規定する工程と、前記立体を分割して得られる四面体であって前記ラインを辺とする四面体を規定する工程と、前記四面体の辺の上の所定の格子点を結んで得られる三角形平面を規定する工程と、前記三角形平面における二辺であって、該二辺それぞれの上の格子点に対応する色材信号値が単調増加または単調減少する部分を含む二辺を規定する工程と、前記規定した二辺上の格子点を結んで得られるラインを規定し、該ライン上の格子点の色材信号値を前記二辺の格子点の色材信号値を用いた補間によって求める補間工程と、を有したことを特徴とする。
【手続補正６】
【補正対象書類名】明細書
【補正対象項目名】００１５
【補正方法】変更
【補正の内容】
【００１５】
また、入力信号によって規定される格子点に対応させて印刷装置で用いる色材の色材信号値を保持した色分解テーブルを作成する処理を行う色処理装置であって、前記作成する処理は、入力信号によって規定される立体における所定の格子点を結ぶラインを規定する工程と、前記立体を分割して得られる四面体であって前記ラインを辺とする四面体を規定する工程と、前記四面体の辺の上の所定の格子点を結んで得られる三角形平面を規定する工程と、前記三角形平面における二辺であって、該二辺それぞれの上の格子点に対応する色材信号値が単調増加または単調減少する部分を含む二辺を規定する工程と、前記規定した二辺上の格子点を結んで得られるラインを規定し、該ライン上の格子点の色材信号値を前記二辺の格子点の色材信号値を用いた補間によって求める補間工程と、を有したことを特徴とする。